(57)【要約】【課題】本発明は、フロ−トの変動に連動して上下動する作動軸の磁気を対応する磁気検出手段でもって順次中間点的に検出せしめ、液体タンク内の液量を適正に把握して液量管理を確実に行うことが出来る、フロ−ト式液面計を提供するものである。【解決手段】所要の液体タンク１１に装着自在とされた基体１の中心に所要長の磁性作動軸２が上下動自在に挿通され、該作動軸２の下端にはフロ−ト４が、同上端には指針５が各々取付けられると共に、作動軸２を上下にガイドせしめるべく基体上に略筒状のガイド体６が立設され、かつ、フロ−ト４の変動に連動して上下動する作動軸２の磁気を検出せしめるべく該ガイド体６にはその軸線方向に沿って所要数の磁気検出手段８ａ・８ｂ・８ｃ・８ｄが配設されている。【選択図】図２
2014059195.tif 000002
【特許請求の範囲】
【請求項１】
所要の液体タンクに装着自在とされた基体の中心に所要長の磁性作動軸が上下動自在に
挿通され、該作動軸の下端にはフロ−トが、同上端には指針が各々取付けられると共に、
作動軸を上下にガイドせしめるべく基体上に略筒状のガイド体が立設され、かつ、フロ−
トの変動に連動して上下動する作動軸の磁気を検出せしめるべく該ガイド体にはその軸線
方向に沿って所要数の磁気検出手段が配設されてなることを特徴とする、フロ−ト式液面
計。                                                       
【請求項２】
上記各磁気検出手段は、ガイド体の軸線方向に沿って配設されたガイドレ−ルを介して
適宜所要の位置に設定自在とされてなることを特徴とする、請求項１記載のフロ−ト式液
面計。
【発明の詳細な説明】
【技術分野】
【０００１】
本発明は、水、洗浄液、純水、あるいは油などを貯蔵する液体タンクの液量変動を検知
する、フロ−ト式液面計に関する。
【背景技術】
【０００２】
従来より、この種のフロ−ト式液面計としては、所要の液体タンクに装着自在とされた
基体の中心に所要長の非磁性作動軸が上下動自在に挿通され、該作動軸の下端にはフロ−
トが、同上端には磁性指針が各々取付けられると共に、作動軸を上下にガイドせしめるべ
く基体上に略筒状の液面目盛付きガイド体が立設され、かつ、フロ−トの変動に連動して
上下動する指針の磁気を検出せしめるべく該ガイド体にはその軸線方向に沿って所要数の
リ−ドスイッチなどよりなる磁気検出手段が配設されてなることを基本構成とするものが
開示されている（例えば、特許文献１参照）。
そして、上述の如く構成された従来のフロ−ト式液面計は、所要の液体タンク内にその
取付け孔よりフロ−トを挿入せしめると共に、基体を液体タンク上に立設せしめる。しか
るのち、液体タンク内の液量に応じてフロ−トを変動せしめつつ作動軸でもって指針を上
下動せしめ、指針により液量目盛を介して液量を視認せしめると共に、指針の磁気を磁気
検出手段により検出せしめて所要の制御装置に入力し、液量を管理せしめるものとされて
いる。
【先行技術文献】
【特許文献】
【０００３】
【特許文献１】実公平６−２２１７８号公報（第３頁、第８図及び第９図）
【発明の概要】
【発明が解決しようとする課題】
【０００４】
ところで、上述の如く構成された従来のフロ−ト式液面計は、指針を視認して液量目盛
により液体タンク内の液量を検知せしめる場合においては問題がないものである。
しかしながら、例えば、図６に図示するように、第１〜第４磁気検出手段５１ａ・５１
ｂ・５１ｃ・５１ｄにより指針５２の磁気を検出して液体タンク５３内の液量を検知せし
める場合においては、液体タンク５３内に投入する液体の量に応じて変動するフロ−ト５
４に連動しつつ、その磁気を対応する第１〜第４磁気検出手段５１ａ・５１ｂ・５１ｃ・
５１ｄの設定位置に各々達した時点にのみ一点的に検出せしめることが出来るにすぎない
ものである。このため、例えば、指針５２が第１磁気検出手段５１ａと第２磁気検出手段
５１ｂとの間に位置する場合には、指針５２の検出が不能となり、ひいては、液体タンク
５３内における液量状態の把握が不能となって液量管理に不都合を惹起せしめるおそれが
あるものである。また同様に、指針５２が第１〜第４磁気検出手段５１ａ・５１ｂ・５１
ｃ・５１ｄのいづれかの間に位置する状態で電源が落ちた場合には、復帰後における指針
５２の位置が不明となり、ひいては、液体タンク５３内における液量状態を把握すること
が出来ないものとなって液量管理に支障を惹起せしめやすいものである。  
【０００５】
本発明は、従来の課題を解決し、フロ−トの変動に連動して上下動する作動軸の磁気を
対応する磁気検出手段でもって順次中間点的に検出せしめ、液体タンク内の液量を適正に
把握して液量管理を確実に行うことが出来る、フロ−ト式液面計を提供しようとするもの
である。
【課題を解決するための手段】
【０００６】
本発明の請求項１記載の発明は、所要の液体タンクに装着自在とされた基体の中心に所
要長の磁性作動軸が上下動自在に挿通され、該作動軸の下端にはフロ−トが、同上端には
指針が各々取付けられると共に、作動軸を上下にガイドせしめるべく基体上に略筒状のガ
イド体が立設され、かつ、フロ−トの変動に連動して上下動する作動軸の磁気を検出せし
めるべく該ガイド体にはその軸線方向に沿って所要数の磁気検出手段が配設されてなるこ
とを特徴とする、フロ−ト式液面計を要旨とするものである。  
【０００７】
そして、請求項１記載の発明のフロ−ト式液面計において、各磁気検出手段は、ガイド
体の軸線方向に沿って配設されたガイドレ−ルを介して適宜所要の位置に設定自在とされ
ている。
【発明の効果】
【０００８】
本発明の請求項１記載の発明は、上述のように構成されているから、液体タンク内の液
量に応じてフロ−トを変動せしめつつ作動軸でもって指針を上下動せしめ、指針により液
体タンク内の液量を視認せしめると共に、作動軸の磁気を磁気検出手段により検出せしめ
て所要の制御装置に入力し、液量を適正に管理せしめることが出来る。そして、特に本願
発明の作動軸は磁性を有するものとされている。このため、フロ−トの変動に連動して上
下動する作動軸の磁気を対応する磁気検出手段でもって順次中間点的に検出せしめ、正常
状態のみならず、偶発的に電源が落ちた場合においても、液体タンク内の液量を常に正確
に把握して液量管理を確実に行うことが出来るものである。
【図面の簡単な説明】
【０００９】
【図１】本発明の一実施例を示す正面図である。
【図２】同実施例を示す側面図である。
【図３】図２のＩ−Ｉ線に沿う拡大断面図である。
【図４】実施例の作動軸２を示す背面図である。
【図５】実施例の作動状態を示す概念図である。
【図６】従来例の作動状態を示す概念図である。
【発明を実施するための形態】
【００１０】
以下に、本発明を実施するための形態を図面に示す一実施例に基づいて説明する。
【００１１】
図１乃至図５は本発明の一実施例を示すもので、同図中、１は後記する液体タンク１１
上に装着自在とされた略中空円盤状の基体、２は該基体１の中心に挿通孔３を通して上下
動自在に挿通された所要長の磁性作動軸、４は基体１下に位置せしめるべく該作動軸２の
下端に取付けられた球状のフロ−ト、５は基体１上に位置せしめるべく同作動軸２の上端
に取付けられた略リング状の指針、６は上記作動軸２を上下動自在にガイドせしめるべく
基体１上に立設された略円筒形状のキャップ付きガイド体、７は該ガイド体６の軸線方向
に沿って配設された所要長の略リップ溝形状のガイドレ−ル、８ａ・８ｂ・８ｃ・８ｄは
上下動する作動軸２の磁気を検出せしめるべく該ガイドレ−ル７に取付け部材９を介して
所定間隔毎に取付けられた第１〜第４近接スイッチで、該第１〜第４近接スイッチ８ａ・
８ｂ・８ｃ・８ｄは各々必要に応じて適宜ガイドレ−ル７に沿って移動せしめ、所定の設
定位置に取付け自在とされている。
その他、１０は基体１の一側に付設された近接スイッチ用端子箱、１１は水・洗浄液・
純水・油などを貯蔵せしめる液体タンクである。
【００１２】
次に、上述の如く構成された実施例の作動を図５に基づいて説明する。   
先ず、液体タンク１１内にその取付け孔（図示略）を介してフロ−ト４を挿入せしめる
と共に、基体１を液体タンク１１上に立設せしめる。しかるのち、液体タンク１１内に所
要の液体を投入せしめる。すると、液体タンク１１内の液量に応じてフロ−ト４が変動し
つつ作動軸２により指針５を上昇作動せしめ、該指針５により漸時液体タンク１１内の液
量を視認すると共に、作動軸２の上端が所定の位置に達した時点で作動軸２の磁気を第１
近接スイッチ８ａが検出し、所要の制御装置（図示省略）に入力して液量管理せしめる（図５Ａ参照）。
以下同様に、液体タンク１１内に順次液体を投入せしめつつ、フロ−ト４を介して作動
軸２と共に指針５を漸次上昇作動せしめ、液体タンク１１内の液量を指針５により視認せ
しめると共に、作動軸２の磁気を順次第２〜第４近接スイッチ８ｂ・８ｃ・８ｄにより検
出し、制御装置に順次入力して液量管理せしめる（図５Ｂ〜Ｄ参照）。
【００１３】
このさい、例えば、作動軸２の上端部が第２近接スイッチ８ｂに達すると、作動軸２の
磁気を第２近接スイッチ８ｂが検出するのみならず、第１近接スイッチ８ａも検出し、液
体タンク１１内における液体の液面と共に中間点を検出せしめることが出来る（図５Ｂ参
照）。同様に、作動軸２の上端部が順次第３・第４近接スイッチ８ｃ・８ｄに達すると、
作動軸２の磁気を第３・第４近接スイッチ８ｃ・８ｄが順次検出するのみならず、第１〜
第３近接スイッチ８ａ・８ｂ・８ｃも順次検出し、液体タンク１１内における液面と共に
各中間点を各々検出して液量管理せしめることが出来る（図５Ｃ・Ｄ参照）。このため、
フロ−ト４の変動に連動して上下動する磁性作動軸２の磁気を対応する第１〜第４近接ス
イッチ８ａ・８ｂ・８ｃ・８ｄでもって順次液面のみならず中間点を検出せしめることが
出来るものであるから、液量管理の正常状態下のみならず、偶発的に電源が落ちた場合に
おいても、電源の復帰後における液体タンク１１内の液量を常に正確に把握して液量管理を確実に行うことが出来るものである。
【００１４】
なお、上記実施例において、磁気検出手段として４個の近接スイッチ８ａ・８ｂ・８ｃ
・８ｄが示されているが、これに限定されることなくリ−ドスイッチなど他の公知の磁気
検出手段を採択することが出来るのみならず、その個数も必要に応じて適宜増減せしめる
ことが出来るものである。
また、指針５は非磁性体とされているが、必要に応じて磁性体としてもよいものである
。
【符号の説明】
【００１５】
１  基体
２  作動軸
４  フロ−ト
５  指針
６  ガイド体
７  ガイドレ−ル
８ａ・８ｂ・８ｃ・８ｄ  第１〜第４近接スイッチ
１１  液体タンク
【図１】
2014059195.tif 000003
【図２】
2014059195.tif 000004
【図３】
2014059195.tif 000005
【図４】
2014059195.tif 000006
【図５】
2014059195.tif 000007
【図６】
2014059195.tif 000008